【手続補正書】
【提出日】平成25年2月14日(2013.2.14)
【手続補正１】
【補正対象書類名】特許請求の範囲
【補正対象項目名】全文
【補正方法】変更
【補正の内容】
【特許請求の範囲】
【請求項１】
表示部と、
動画を表す表示オブジェクトを前記表示部に表示するよう制御する表示制御手段と、
前記表示部へのタッチ位置を検出する検出手段と、
前記表示部に表示された単一の前記表示オブジェクトにおいて２箇所のタッチ位置を前記検出手段により検出したか否かを判定する第１の判定手段と、
前記第１の判定手段により、単一の前記表示オブジェクトに２箇所のタッチ位置を検出したと判定した場合に、前記検出手段による検出に基づいて、タッチしたまま前記タッチ位置が移動したか否かを判定する第２の判定手段と、
前記第２の判定手段により、タッチしたまま前記タッチ位置が移動したと判定した場合に、移動後の２箇所のタッチ位置の間の距離に応じた数のフレーム画像を前記表示オブジェクトが表す動画から抽出し、前記表示制御手段に対して前記移動後の２箇所のタッチ位置の間に前記抽出したフレーム画像を表示するように制御する制御手段とを有することを特徴とする表示制御装置。
【請求項２】
前記制御手段は、前記移動後の２箇所の接触位置の間の距離が移動前よりも小さくなった場合は表示すべき画像を少なくし、大きくなった場合は表示すべき画像を多くするように制御することを特徴とする請求項１に記載の表示制御装置。
【請求項３】
前記制御手段は、前記移動後の２箇所の接触位置の間の距離が所定の値より大きい場合に前記表示オブジェクトを所定の大きさよりも大きくしないように前記表示制御手段を制御することを特徴とする請求項１または２に記載の表示制御装置。
【請求項４】
前記制御手段は、前記移動後の２箇所の接触位置の間の距離に応じた数のフレーム画像を、時間の間隔が等間隔になるように抽出することを特徴とする請求項１〜３の何れか１項に記載の表示制御装置。
【請求項５】
前記制御手段は、前記表示オブジェクトに表示すべき画像が１枚となる場合は、前記表示オブジェクトが表す動画の中から予め決められた画像を表示するように前記表示制御手段を制御することを特徴とする請求項１〜３の何れか１項に記載の表示制御装置。
【請求項６】
前記予め決められた画像は、前記表示オブジェクトが表す動画の先頭のフレーム画像、またはユーザーにより指定された画像であることを特徴とする請求項５に記載の表示制御装置。
【請求項７】
前記表示制御手段は、前記表示オブジェクトの各々の画像に時間位置を示す情報を付加して表示することを特徴とする請求項１〜６の何れか１項に記載の表示制御装置。
【請求項８】
前記第１の判定手段により、単一の前記表示オブジェクトに２箇所のタッチ位置を検出したと判定した場合に、前記検出手段による検出に基づいて、タッチしたまま前記タッチ位置が前記表示オブジェクト上に配置された複数の前記フレーム画像が並ぶ方向と垂直な第１の方向に移動したか否かを判定する第３の判定手段を更に有し、
前記第２の判定手段は、前記表示オブジェクト上に配置された複数の前記フレーム画像が並ぶ方向と平行な第２の方向に前記タッチ位置が移動したか否かを判定し、
前記制御手段は、前記第２の判定手段により、タッチしたまま前記タッチ位置が前記第２の方向に移動したと判定した場合に、移動後の２箇所のタッチ位置の間の距離に応じた数のフレーム画像を前記表示オブジェクトが表す動画から抽出し、前記表示制御手段に対して前記移動後の２箇所のタッチ位置の間に前記抽出したフレーム画像を表示するように制御し、
前記第３の判定手段により、タッチしたまま前記タッチ位置が前記第１の方向に移動したと判定した場合に、前記表示オブジェクトが表す動画を複製して記録媒体に記録するための制御を行うことを特徴とする請求項１〜７の何れか１項に記載の表示制御装置。
【請求項９】
前記検出手段によって検出されたタッチ位置に表示されている前記表示オブジェクトの表示位置を、前記タッチ位置の移動に追従して変更するように前記表示制御手段を制御する変更制御手段と、
前記表示部の２箇所がタッチされ、それぞれのタッチ位置でそれぞれ異なる表示オブジェクトがタッチされているか否かを判定する第４の判定手段と、
前記第４の判定手段により、それぞれ異なる２つの表示オブジェクトがタッチされていると判定した場合に、前記２箇所のタッチ位置の距離が移動により所定値以下となったか否かを判定する第５の判定手段とを更に有し、
前記制御手段は、前記第５の判定手段により所定値以下になったと判定した場合に、前記それぞれ異なる表示オブジェクトが表す動画を、前記変更制御手段の制御により変更された表示オブジェクトの表示位置に基づいた順番で結合した単一の動画を生成するための制御を行うことを特徴とする請求項１〜８の何れか１項に記載の表示制御装置。
【請求項１０】
動画を表す表示オブジェクトを表示部に表示するよう制御する表示制御工程と、
前記表示部へのタッチ位置を検出する検出工程と、
前記表示部に表示された単一の前記表示オブジェクトにおいて２箇所のタッチ位置を前記検出工程において検出したか否かを判定する第１の判定工程と、
前記第１の判定工程において、単一の前記表示オブジェクトに２箇所のタッチ位置を検出したと判定した場合に、前記検出工程における検出に基づいて、タッチしたまま前記タッチ位置が移動したか否かを判定する第２の判定工程と、
前記第２の判定工程において、タッチしたまま前記タッチ位置が移動したと判定した場合に、移動後の２箇所のタッチ位置の間の距離に応じた数のフレーム画像を前記表示オブジェクトが表す動画から抽出し、前記表示制御工程の処理に対して前記移動後の２箇所のタッチ位置の間に前記抽出したフレーム画像を表示するように制御する制御工程とを有することを特徴とする表示制御装置の制御方法。
【請求項１１】
コンピュータを、請求項１〜９の何れか１項に記載の表示制御装置の各手段として機能させるためのプログラム。
【請求項１２】
コンピュータを、請求項１〜９の何れか１項に記載の表示制御装置の各手段として機能させるためのプログラムを記録したことを特徴とするコンピュータ読み取り可能な記録媒体。
【手続補正２】
【補正対象書類名】明細書
【補正対象項目名】発明の名称
【補正方法】変更
【補正の内容】
【発明の名称】表示制御装置及び表示制御装置の制御方法
【手続補正３】
【補正対象書類名】明細書
【補正対象項目名】０００１
【補正方法】変更
【補正の内容】
【０００１】
本発明は表示制御装置、表示制御装置の制御方法、プログラム及び記録媒体に関し、特に、タッチパネル等を操作するために用いて好適な技術に関する。
【手続補正４】
【補正対象書類名】明細書
【補正対象項目名】０００８
【補正方法】変更
【補正の内容】
【０００８】
本発明の表示制御装置は、表示部と、動画を表す表示オブジェクトを前記表示部に表示するよう制御する表示制御手段と、前記表示部へのタッチ位置を検出する検出手段と、前記表示部に表示された単一の前記表示オブジェクトにおいて２箇所のタッチ位置を前記検出手段により検出したか否かを判定する第１の判定手段と、前記第１の判定手段により、単一の前記表示オブジェクトに２箇所のタッチ位置を検出したと判定した場合に、前記検出手段による検出に基づいて、タッチしたまま前記タッチ位置が移動したか否かを判定する第２の判定手段と、前記第２の判定手段により、タッチしたまま前記タッチ位置が移動したと判定した場合に、移動後の２箇所のタッチ位置の間の距離に応じた数のフレーム画像を前記表示オブジェクトが表す動画から抽出し、前記表示制御手段に対して前記移動後の２箇所のタッチ位置の間に前記抽出したフレーム画像を表示するように制御する制御手段とを有することを特徴とする。